(57)【要約】【課題】厨房排水、ディスポーザ排水、台所排水から、比重の重い固形物が、配管途中で堆積し配管閉塞を起こさないように、排水管内で捕捉する。【解決手段】ディスポーザ排水専用配管途中の管底部に開口を設け、この開口部に沈澱分離を行える空間を有する容器を取付け、排水中に含まれる比重の重い固形物を沈澱分離の作用により固形物収集装置内に沈澱させる。この沈澱した固形物は、固形物収集装置内に一定量貯留し、この固形物収集装置の一部分を取り外し、堆積した固形物を定期的に取り出し廃棄する。固形物収集装置は、排水勾配の逆勾配もしくは勾配0となる部分を有し、流速を低減させ、固形物の沈殿を促進させる。固形物収集装置は、排水専用配管の底を流れる比重の重い固形物を捕捉するために、管底部に邪魔板を有し、管底部を流下する生ゴミを後段に排水させない。【選択図】図１
2007063810.tif 000002
【特許請求の範囲】
【請求項１】
ディスポーザ排水専用配管途中の管底部に開口を設け、この開口部に沈澱分離を行える空間を有する容器を取付け、排水中に含まれる比重の大きなゴミを沈澱分離し収集することを特徴とした固形物収集装置。
【請求項２】
固形物収集装置の一部分は排水専用配管から取り外し、堆積した固形物を取り出すことができることを特徴とする、請求項１に記載の固形物収集装置。
【請求項３】
沈澱分離された固形物は一定量貯留することを特徴とする、請求項１又は２に記載の固形物収集装置。
【請求項４】
固形物収集装置の下部に固形物の取り出し用孔を設けたことを特徴とする、請求項１乃至３の内１項に記載の固形物収集装置。
【請求項５】
固形物収集装置は、固定物収集装置の前後に取付ける排水専用配管の勾配１／１００に対して、固定物収集装置自体の勾配が、１／１００の逆勾配もしくは勾配0となる部分を有する、請求項１乃至４の内１項に記載の固形物収集装置。
【請求項６】
固形物収集装置は、配管の底を流れる比重の重い固形物を捕捉するための邪魔板を、該配管の管底部に設けることを特徴とする、請求項１乃至５の内１項に記載の固形物収集装置。
【発明の詳細な説明】
【技術分野】
【０００１】
この発明は、厨房排水、ディスポーザ排水、台所排水などの排水処理、又は厨芥固形分、その他固形物などを搬送し回収するための、排水配管設備の固形物収集装置に関する。
【背景技術】
【０００２】
厨房排水、ディスポーザ排水、台所排水は、排水配管の排水勾配を1/50以上に設定している。また、多量の追い水、もしくは排水配管途中にポンプを取り付け強制排水を行う。特願2005-029151号「ディスポーザ排水搬送方法及び装置」として、比重の重い固形物を分離してポンプもしくは水流により圧送する特許がある。
【特許文献１】特願2005-029151号
【発明の開示】
【発明が解決しようとする課題】
【０００３】
厨房排水、ディスポーザ排水、台所排水には、比重の重い固形物、比重の軽い固形物など多種多様である。その中で、比重の重い生ゴミは管底を流れるため多量の水を流しても影響を受け難く、配管途中で堆積し配管閉塞の危険性がある。
【０００４】
第一に、比重の重い固形物を排出するためには、排水横枝管の配管勾配を1/50以上とる必要があり、高さ方向の配管施工スペースが大きくなり、結果床下の不要なスペースが増えることになり不経済である。また、強制的に多量の水を排水すると比重の重い生ゴミが幾分流れるが、水量、生ゴミの量により搬送性能は大きく変わる。
【０００５】
次に、容積型ポンプによりディスポーザ排水を搬送させる場合、ディスポーザの設置しているシンクからの排水を全てポンプにより搬送する必要性がある。上記の事態を防ぐために排水貯留タンクを設けると、臭気発生の原因となる。
【０００６】
さらに、遠心ポンプによりディスポーザ排水を搬送させる場合、羽根車に繊維質の物（ディスポーザにより破砕し難いゴミ）が絡まり、ポンプの性能ダウンが発生する可能性がある。また、シンクの下、床下にポンプを設置すると、振動等の別の問題が発生する可能性が大きい。
【０００７】
先に表示した特願2005−029151号「ディスポーザ排水搬送方法及び装置」の方法で、比重の重い生ゴミを搬送する装置を床下又はシンクの下に取り付けた場合、給水配管、排水配管等の制約から、全てのシンクに取り付ける事ができない可能性がある。また、シンクの下、もしくは床下に特別な装置を設けるとメンテナンスを行うのが難しい。
【課題を解決するための手段】
【０００８】
そこでこの発明では、ディスポーザ排水専用配管途中の管底部に開口を設け、この開口部に沈澱分離を行える空間を有する容器を取付け、排水中に含まれる比重の重い固形物を沈澱分離の作用により固形物収集装置内に沈澱させるようにしたものである。この沈澱した固形物は、固形物収集装置内に一定量貯留し、この固形物収集装置の一部分を取り外し、堆積した固形物を定期的に取り出し廃棄する。
【０００９】
また、固形物収集装置は、排水勾配の逆勾配もしくは勾配0となる部分を有し、流速を低減させ、固形物の沈殿を促進させる。さらに、固形物収集装置は、排水専用配管の底を流れる比重の重い固形物を捕捉するために、管底部に邪魔板を有し、管底部を流下する生ゴミを後段に排水させない事を特徴とする。
【００１０】
上記の方法を用いた固形物収集装置は、他の配管と関係なく容易に取り外すことができる構造のため、ユーザー自身が取り外して、固形物を廃棄する。また、固形物収集装置の下部に、口径20mm程度の専用取り出し口を設けることにより、取り出し口の栓を外し、１リットル程度の水を流すことで、固形物を容易に排水専用配管の系外に搬出する。
【発明の効果】
【００１１】
この発明は以上のように構成したので、排水専用配管に堆積しやすい固形物を回収し、廃棄して、排水横主管の閉塞を防ぐことができる。また、排水横主管において堆積しやすいものはあらかじめ回収するため、配管勾配を1/100以上に設計しても排水配管に詰まりが生じ難い。さらに、固形物回収のための装置には動力、水等を使用しないため、故障の恐れがない。
【発明を実施するための最良の形態】
【００１２】
図１に、この発明を実施するための最良の形態として、固形物収集装置を設置したディスポーザの概略を示す。ディスポーザ１は制御装置２からの制御信号によって作動され、粉砕された固形物を、排水とともに排水専用配管及びトラップを含む排水管３を介して、固形物収集装置４に送る。この収集装置４で、比重の大きい固形物を沈殿分離し、沈澱分離された固形物は一定量貯留する。その後排水は、排水横枝管５を経由して下水管路へ排出される。図中、給水管６及び給湯管７は流し台上方に開口した蛇口からシンクに用水を供給する。また給水管６から分岐した管が電磁弁８、逆流防止装置９を経てディスポーザ１の破砕室に達し、制御装置２からの信号で、ディスポーザの作動に必要な給水を行う。
【実施例１】
【００１３】
この発明のＩ実施例として、固形物収集装置４は図１に示すように長方形箱体、または図２及び３に示すような円筒体を、配管３の途中に取付ナット４−１、４−２により排水管と接続し、固形物収集槽４−３を垂下させる。固形物収集装置４の下端は漏斗状に形成され、固形物の取り出し用孔を設ける。固形物収集装置４は、沈澱分離された固形物を一定量貯留する。その後前記取り出し用孔の蓋４−４を開いて凝集された固形物を収集装置４から取り出す。
【実施例２】
【００１４】
固形物収集装置４は、図２縦断面図に示すように、排水専用配管から一部分を取り外し、堆積した固形物とともにディスポーザ外に持ち出し、塵埃処理施設で適宜固形物を取り出せるようにする。その為、図２のＡ-Ａ矢視線の断面図である図３に示すように、排水管３の適宜箇所に固形物収集口４−５を儲け、その直下に固形物収集槽４−３を配置する。
【実施例３】
【００１５】
固形物収集装置４は、図４（a）の(b)部分拡大図４（ｂ）のように、ネジにより固形物収集槽４−３を取り外す事ができる。その際、固形物収集口４−５には付属の蓋１０により、図４（ｃ）のように蓋をする事ができ、固形物収集槽の清掃中にも水を使用することができる。固形物収集槽、及びは蓋１０は、水漏れ防止のためにゴムパッキン１１をネジ部に挟み、固形物収集口４−５に取付けている。
【実施例４】
【００１６】
この発明の他の実施例として、図５に示すように、固定物収集装置４の前後に取付ける排水専用配管３の勾配１／１００に対して、固定物収集装置自体の勾配が、１／１００の逆勾配もしくは勾配0となる部分を有するように配置する。このように、排水専用配管の勾配に対して固定物収集装置自体の勾配を０もしくは逆勾配とすることによって、流速を低減させ、固形物の沈殿を促進させる。
【実施例５】
【００１７】
さらに、この発明の他の実施例として、図６(a)および部分拡大図６（ｂ）に示すように、固形物収集装置４は、排水専用配管３の底を流れる比重の重い固形物を捕捉するために、管底部１２に邪魔板１３を配設している。この邪魔板１３の設置により、管底部を流下する生ゴミを後段に排水させないで、固形物収集槽４−３に取り込むことが出来る。
【図面の簡単な説明】
【００１８】
【図１】この発明の固形物収集装置を設置したシンク、ディスポーザ、排水横枝管の概念図である。
【図２】この発明の固形物収集装置の一実施例の詳細を示す縦断面図である。
【図３】図２のＡ―Ａ線で切断した矢視図である。
【図４】この発明の実施例として、図4（a）固形物収集槽を取り外し可能とし、固形物収集口に蓋をもつ固形物収集装置を示し、図４(b)はゴムパッキン部分の拡大図、図４(c)は装置の蓋１０を閉じた状態を示す。
【図５】この発明の他の実施例として、排水配管の流れ方向に対し、逆勾配の部分をもつ固形物収集装置の縦断面図を示す。
【図６】この発明の更に他の実施例として、固形物収集装置の管底部に邪魔板を配設したもので、図６（ｂ）に邪魔板１３の部分拡大図を示す。
【符号の説明】
【００１９】
１  ディスポーザ
２  制御装置
３  排水管
４  固形物収集装置
４−１、４−２  取付ナット
４−３  固形物収集槽
４−４  固形物取出し口
４−５  固形物収集口
５  排水横枝管
６  給水管
７  給油管
８  電磁弁
９  逆流防止装置
１０  開閉式扉及び蓋
１１  ゴムパッキン
１２  管底部
１３  邪魔板
【図１】
2007063810.tif 000003
【図２】
2007063810.tif 000004
【図３】
2007063810.tif 000005
【図４】
2007063810.tif 000006
【図５】
2007063810.tif 000007
【図６】
2007063810.tif 000008